【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】  所定の端末装置においてプレイヤーにゲームを行わせるためのゲーム情報を生成する情報生成手段と、
生成されたゲーム情報を、伝送路を介して前記端末装置へ向け送信する提供手段と、
前記ゲーム情報の生成または送信に所定時間以上かかるかどうかを判定する判定手段と、
を含み、
前記判定手段によって前記ゲーム情報の生成または送信に所定時間以上かかると判定された場合、
前記情報生成手段は、前記ゲームとは異なるサブゲームを実行するためのサブゲーム用情報を生成し、
前記提供手段は、前記サブゲーム用情報を前記端末装置へ向け送信し、
前記サブゲーム用情報の前記伝送路の占有量は、前記ゲーム情報の前記伝送路の占有量よりも少ないことを特徴とするゲーム用のシステム。
【請求項２】  伝送路を介して所定の情報配信装置からのゲームを実行するためのゲーム情報の受信に所定時間以上かかるかどうかを判定する判定手段と、
前記ゲーム情報を受信するとともに、前記判定手段によって前記ゲーム情報の受信に所定時間以上かかると判定された場合、前記情報配信装置から前記ゲームとは異なるサブゲームを実行するためのサブゲーム用情報を受信する手段と、
前記ゲーム情報に基づき、ゲームを実行するとともに、前記サブゲーム用情報に基づきサブゲームを実行する手段と、
を含み、
前記サブゲーム用情報の前記伝送路の占有量は、前記ゲーム情報の前記伝送路の占有量よりも少ないことを特徴とするゲーム用のシステム。
【請求項３】  所定の端末装置においてプレイヤーにゲームを行わせるためのゲーム情報を生成する情報生成手段と、
生成されたゲーム情報を、伝送路を介して前記端末装置へ向け送信する提供手段と、
前記ゲーム情報の生成または送信に所定時間以上かかるかどうかを判定する判定手段と、
を含み、
前記判定手段によって前記ゲーム情報の生成または送信に所定時間以上かかると判定された場合、
前記情報生成手段は、前記ゲームのゲーム状況を示す状況情報を生成し、
前記提供手段は、前記状況情報を前記端末装置へ向け送信し、
前記状況情報の前記伝送路の占有量は、前記ゲーム情報の前記伝送路の占有量よりも少ないことを特徴とするゲーム用のシステム。
【請求項４】  伝送路を介して所定の情報配信装置からのゲームを実行するためのゲーム情報の受信に所定時間以上かかるかどうかを判定する判定手段と、
前記ゲーム情報を受信するとともに、前記判定手段によって前記ゲーム情報の受信に所定時間以上かかると判定された場合、前記情報配信装置から前記ゲームのゲーム状況を示す状況情報を受信する手段と、
前記ゲーム情報に基づき、ゲームを実行するとともに、前記状況情報に基づき前記ゲーム状況を提示する手段と、
を含み、
前記状況情報の前記伝送路の占有量は、前記ゲーム情報の前記伝送路の占有量よりも少ないことを特徴とするゲーム用のシステム。
【請求項５】  請求項３、４のいずれかにおいて、
前記ゲーム状況は、ゲームにおける順位、ゲームにおける正答率、ゲームのハイスコアのうちの少なくとも１つを示すものであることを特徴とするシステム。
【請求項６】  所定の端末装置において所定の画像を表示するための画像情報を生成する情報生成手段と、
生成された画像情報を、伝送路を介して前記端末装置へ向け送信する提供手段と、
前記画像情報の生成または送信に所定時間以上かかるかどうかを判定する判定手段と、
を含み、
前記判定手段によって前記画像情報の生成または送信に所定時間以上かかると判定された場合、
前記情報生成手段は、所定の状況を示す状況情報を生成し、
前記提供手段は、前記画像情報を前記端末装置へ向け送信し、
前記状況情報の前記伝送路の占有量は、前記画像情報の前記伝送路の占有量よりも少ないことを特徴とする画像表示用のシステム。
【請求項７】  伝送路を介して所定の情報配信装置からの画像を表示するための画像情報の受信に所定時間以上かかるかどうかを判定する判定手段と、
前記画像情報を受信するとともに、前記判定手段によって前記画像情報の受信に所定時間以上かかると判定された場合、前記情報配信装置から所定の状況を示す状況情報を受信する手段と、
前記画像情報に基づき、画像を表示するとともに、前記状況情報に基づき前記所定の状況を提示する手段と、
を含み、
前記状況情報の前記伝送路の占有量は、前記画像情報の前記伝送路の占有量よりも少ないことを特徴とする画像表示用のシステム。
【請求項８】  請求項６、７のいずれかにおいて、
前記所定の状況は、気象状況、社会状況のうちの少なくとも１つであることを特徴とするシステム。
【請求項９】  請求項１、３、６のいずれかにおいて、
前記端末装置は、携帯型端末装置であることを特徴とするシステム。
【請求項１０】  コンピュータにより読み取り可能な情報記憶媒体であって、
前記コンピュータを、
所定の端末装置においてプレイヤーにゲームを行わせるためのゲーム情報を生成する情報生成手段と、
生成されたゲーム情報を、伝送路を介して前記端末装置へ向け送信する提供手段として機能させるためのプログラムを記憶し、
前記判定手段によって前記ゲーム情報の生成または送信に所定時間以上かかると判定された場合、
前記情報生成手段は、前記ゲームとは異なるサブゲームを実行するためのサブゲーム用情報を生成し、
前記提供手段は、前記サブゲーム用情報を前記端末装置へ向け送信し、
前記サブゲーム用情報の前記伝送路の占有量は、前記ゲーム情報の前記伝送路の占有量よりも少ないことを特徴とする情報記憶媒体。
【請求項１１】  コンピュータにより読み取り可能な情報記憶媒体であって、
前記コンピュータを、
伝送路を介して所定の情報配信装置からのゲームを実行するためのゲーム情報の受信に所定時間以上かかるかどうかを判定する判定手段と、
前記ゲーム情報を受信するとともに、前記判定手段によって前記ゲーム情報の受信に所定時間以上かかると判定された場合、前記情報配信装置から前記ゲームとは異なるサブゲームを実行するためのサブゲーム用情報を受信する手段と、
前記ゲーム情報に基づき、ゲームを実行するとともに、前記サブゲーム用情報に基づきサブゲームを実行する手段として機能させるためのプログラムを記憶し、
前記サブゲーム用情報の前記伝送路の占有量は、前記ゲーム情報の前記伝送路の占有量よりも少ないことを特徴とする情報記憶媒体。
【請求項１２】  コンピュータにより読み取り可能な情報記憶媒体であって、
前記コンピュータを、
所定の端末装置においてプレイヤーにゲームを行わせるためのゲーム情報を生成する情報生成手段と、
生成されたゲーム情報を、伝送路を介して前記端末装置へ向け送信する提供手段と、
前記ゲーム情報の生成または送信に所定時間以上かかるかどうかを判定する判定手段として機能させるためのプログラムを記憶し、
前記判定手段によって前記ゲーム情報の生成または送信に所定時間以上かかると判定された場合、
前記情報生成手段は、前記ゲームのゲーム状況を示す状況情報を生成し、
前記提供手段は、前記状況情報を前記端末装置へ向け送信し、
前記状況情報の前記伝送路の占有量は、前記ゲーム情報の前記伝送路の占有量よりも少ないことを特徴とする情報記憶媒体。
【請求項１３】  コンピュータにより読み取り可能な情報記憶媒体であって、
前記コンピュータを、
伝送路を介して所定の情報配信装置からのゲームを実行するためのゲーム情報の受信に所定時間以上かかるかどうかを判定する判定手段と、
前記ゲーム情報を受信するとともに、前記判定手段によって前記ゲーム情報の受信に所定時間以上かかると判定された場合、前記情報配信装置から前記ゲームのゲーム状況を示す状況情報を受信する手段と、
前記ゲーム情報に基づき、ゲームを実行するとともに、前記状況情報に基づき前記ゲーム状況を提示する手段として機能させるためのプログラムを記憶し、
前記状況情報の前記伝送路の占有量は、前記ゲーム情報の前記伝送路の占有量よりも少ないことを特徴とする情報記憶媒体。
【請求項１４】  請求項１２、１３のいずれかにおいて、
前記ゲーム状況は、ゲームにおける順位、ゲームにおける正答率、ゲームのハイスコアのうちの少なくとも１つを示すものであることを特徴とする情報記憶媒体。
【請求項１５】  コンピュータにより読み取り可能な情報記憶媒体であって、
前記コンピュータを、
所定の端末装置において所定の画像を表示するための画像情報を生成する情報生成手段と、
生成された画像情報を、伝送路を介して前記端末装置へ向け送信する提供手段と、
前記画像情報の生成または送信に所定時間以上かかるかどうかを判定する判定手段として機能させるためのプログラムを記憶し、
前記判定手段によって前記画像情報の生成または送信に所定時間以上かかると判定された場合、
前記情報生成手段は、所定の状況を示す状況情報を生成し、
前記提供手段は、前記画像情報を前記端末装置へ向け送信し、
前記状況情報の前記伝送路の占有量は、前記画像情報の前記伝送路の占有量よりも少ないことを特徴とする情報記憶媒体。
【請求項１６】  コンピュータにより読み取り可能な情報記憶媒体であって、
前記コンピュータを、
伝送路を介して所定の情報配信装置からの画像を表示するための画像情報の受信に所定時間以上かかるかどうかを判定する判定手段と、
前記画像情報を受信するとともに、前記判定手段によって前記画像情報の受信に所定時間以上かかると判定された場合、前記情報配信装置から所定の状況を示す状況情報を受信する手段と、
前記画像情報に基づき、画像を表示するとともに、前記状況情報に基づき前記所定の状況を提示する手段として機能させるためのプログラムを記憶し、
前記状況情報の前記伝送路の占有量は、前記ゲーム情報の前記伝送路の占有量よりも少ないことを特徴とする情報記憶媒体。
【請求項１７】  請求項１５、１６のいずれかにおいて、
前記所定の状況は、気象状況、社会状況のうちの少なくとも１つであることを特徴とする情報記憶媒体。
【請求項１８】  請求項１０、１２、１５のいずれかにおいて、
前記端末装置は、携帯型端末装置であることを特徴とする情報記憶媒体。